(57)【要約】【課題】  操作部材の操作性の点で有利な操作装置を提供すること。【解決手段】  光学装置の光学特性を変更するために可動の光学素子を制御するための操作装置（１０）は、操作部材（１０１）と、操作部材の操作量を検出する検出部（１０２）と、操作量に基づいて、当該制御のための指令値を生成する制御部（１０３）と、を有する。制御部は、指令値または当該制御における制御量がとりうる値の範囲としての第１範囲に対応する第１領域と、指令値または制御量を第１領域に関連づけて示す第１指標と、操作量がとりうる値の範囲としての第２範囲に対応する第２領域と、操作量を第２領域に関連づけて示す第２指標と、第１範囲において設定された有効範囲に対応する第１領域における第１有効領域とを表示部に表示させる。【選択図】  図１
2019194737.tif 000002
【特許請求の範囲】
【請求項１】
光学装置の光学特性を変更するために可動の光学素子を制御するための操作装置であって、
操作部材と、
前記操作部材の操作量を検出する検出部と、
前記操作量に基づいて、前記制御のための指令値を生成する制御部と、を有し、
前記制御部は、前記指令値または前記制御における制御量がとりうる値の範囲としての第１範囲に対応する第１領域と、前記指令値または前記制御量を前記第１領域に関連づけて示す第１指標と、前記操作量がとりうる値の範囲としての第２範囲に対応する第２領域と、前記操作量を前記第２領域に関連づけて示す第２指標と、前記第１範囲において設定された有効範囲に対応する前記第１領域における第１有効領域とを表示部に表示させる、
ことを特徴とする操作装置。
【請求項２】
前記制御部は、前記第２範囲において設定された有効範囲に対応する前記第２領域における第２有効領域を前記表示部に表示させることを特徴とする請求項１に記載の操作装置。
【請求項３】
光学装置の光学特性を変更するために可動の光学素子を制御するための操作装置であって、
操作部材と、
前記操作部材の操作量を検出する検出部と、
前記操作量に基づいて、前記制御のための指令値を生成する制御部と、を有し、
前記制御部は、前記指令値または前記制御における制御量がとりうる値の範囲としての第１範囲に対応する第１領域と、前記指令値または前記制御量を前記第１領域に関連づけて示す第１指標と、前記操作量がとりうる値の範囲としての第２範囲に対応する第２領域と、前記操作量を前記第２領域に関連づけて示す第２指標と、前記第２範囲において設定された有効範囲に対応する前記第２領域における第２有効領域とを表示部に表示させる、
ことを特徴とする操作装置。
【請求項４】
前記制御部は、前記光学装置から前記制御量を取得することを特徴とする請求項１ないし請求項３のうちいずれか１項に記載の操作装置。
【請求項５】
前記制御部は、前記第１領域と前記第２領域とを、それらが座標系の２つの座標軸を構成するように前記表示部に表示させることを特徴とする請求項１ないし請求項４のうちいずれか１項に記載の操作装置。
【請求項６】
前記制御部は、前記第１領域と前記第２領域とを、それらが直交座標系の２つの座標軸を構成するように前記表示部に表示させることを特徴とする請求項５に記載の操作装置。
【請求項７】
前記制御部は、前記指令値または前記制御量と前記操作量との間の関係を表す曲線を前記表示部に表示させ、かつ前記第１指標と前記第２指標とを示す第３指標を前記曲線上に表示させることを特徴とする請求項５または請求項６に記載の操作装置。
【請求項８】
前記制御部は、前記第１範囲における有効範囲を設定することを特徴とする請求項１ないし請求項７のうちいずれか１項に記載の操作装置。
【請求項９】
前記制御部は、前記第２範囲における有効範囲を設定することを特徴とする請求項１ないし請求項８のうちいずれか１項に記載の操作装置。
【請求項１０】
前記制御部は、前記操作量と前記指令値との間の関係を変更することを特徴とする請求項１ないし請求項９のうちいずれか１項に記載の操作装置。
【請求項１１】
前記光学特性を被写体距離、焦点距離または有効口径として前記光学素子を操作することを特徴とする請求項１ないし請求項１０のうちいずれか１項に記載の操作装置。
【請求項１２】
前記第１指標は、前記指令値または前記制御量に対応する前記第１領域内の位置を指すことを特徴とする請求項１ないし請求項１１のうちいずれか１項に記載の操作装置。
【請求項１３】
前記第２指標は、前記操作量に対応する前記第２領域内の位置を指すことを特徴とする請求項１ないし請求項１２のうちいずれか１項に記載の操作装置。
【請求項１４】
前記表示部を有することを特徴とする請求項１ないし請求項１３のうちいずれか１項に記載の操作装置。
【請求項１５】
請求項１ないし請求項１４のうちいずれか１項に記載の操作装置と、
前記操作装置により操作される可動の光学素子と、
を含むことを特徴とする光学装置。
【請求項１６】
請求項１５に記載の光学装置と、
前記光学装置からの光を受ける撮像素子と、
を含むことを特徴とする撮像装置。
【発明の詳細な説明】
【技術分野】
【０００１】
本発明は、操作装置、光学装置、および撮像装置に関する。
【背景技術】
【０００２】
フォーカス指示手段によってレンズ装置のフォーカスレンズが移動するレンズシステムの被写体距離表示装置が知られている（特許文献１）。当該装置は、フォーカス指示手段によって指定されたフォーカス指示位置を取得し、当該フォーカス指示位置に基づいて当該フォーカス指示位置に対応する被写体距離を表示するように構成されている。
【先行技術文献】
【特許文献】
【０００３】
【特許文献１】特開２００２−２８７００７号公報
【発明の概要】
【発明が解決しようとする課題】
【０００４】
特許文献１に開示された被写体距離表示装置は、上記のように被写体距離を表示するに過ぎず、光学素子を制御するための操作部材の操作量と操作指令値または制御量との関係を感覚的（例えば視覚的）に示すことはできない。よって、その点では、当該操作部材の操作性の点で不利である。本発明は、操作部材の操作性の点で有利な操作装置を提供することを例示的目的とする。
【課題を解決するための手段】
【０００５】
本発明の一つの側面は、光学装置の光学特性を変更するために可動の光学素子を制御するための操作装置であって、
操作部材と、
前記操作部材の操作量を検出する検出部と、
前記操作量に基づいて、前記制御のための指令値を生成する制御部と、を有し、
前記制御部は、前記指令値または前記制御における制御量がとりうる値の範囲としての第１範囲に対応する第１領域と、前記指令値または前記制御量を前記第１領域に関連づけて示す第１指標と、前記操作量がとりうる値の範囲としての第２範囲に対応する第２領域と、前記操作量を前記第２領域に関連づけて示す第２指標と、前記第１範囲において設定された有効範囲に対応する前記第１領域における第１有効領域とを表示部に表示させる、
ことを特徴とする操作装置である。
【発明の効果】
【０００６】
本発明によれば、例えば、操作部材の操作性の点で有利な操作装置を提供することができる。
【図面の簡単な説明】
【０００７】
【図１】実施形態１に係る操作装置の構成例を示す図
【図２】操作量と指令値との関係を例示する図
【図３】操作装置における処理の流れを例示する図
【図４】表示部における表示例（Ｓｔａｎｄａｒｄモード）を示す図
【図５】表示部における表示例（Ｎｅａｒモード）を示す図
【図６】表示部における表示例（Ｆａｒモード）を示す図
【図７】実施形態２に係る操作装置の構成例を示す図
【図８】操作装置における処理の流れを例示する図
【図９】表示部における表示例（指令値制限モードの場合）を示す図
【図１０】表示部における表示例（操作量制限モードの場合）を示す図
【図１１】有効範囲の設定に係る処理の流れを例示する図
【図１２】有効範囲の設定に係る表示例を示す図
【図１３】有効範囲の設定に係る表示例を示す図
【図１４】有効範囲の設定に係る表示例を示す図
【図１５】有効範囲の設定に係る表示例を示す図
【図１６】有効範囲が設定されている場合の表示例を示す図
【図１７】実施形態３に係る操作装置の構成例を示す図
【図１８】操作装置における処理の流れを例示する図
【図１９】表示部における表示例（Ｓｔａｎｄａｒｄモード）を示す図
【図２０】実施形態４に係る処理の流れを例示する図
【図２１】表示部における表示例（Ｓｔａｎｄａｒｄモードの場合）を示す図
【図２２】表示部における表示例（Ｎｅａｒモードの場合）を示す図
【図２３】操作部材の具体例を示す図
【図２４】撮像装置の構成例を示す図
【発明を実施するための形態】
【０００８】
以下、添付図面を参照して本発明の実施形態を説明する。なお、実施形態を説明するための全図を通して、原則として（断りのない限り）、同一の部材等には同一の符号を付し、その繰り返しの説明は省略する。
【０００９】
〔実施形態１〕
第１実施形態について図１から図６を参照して説明する。図１は、第１実施形態に係る操作装置の構成例を示す図である。ここで、１０は、操作装置（ここではフォーカスデマンドまたは単にデマンドともいう）である。操作装置１０は、光学装置（ここでは不図示であるが、図１１のレンズ装置２０としうる）の光学特性（ここでは被写体距離）を変更するために可動の光学素子（ここでは不図示であるが、図１１のフォーカスレンズ２０４としうる）を制御するために用いられる。
【００１０】
操作部材１０１は、ここでは、カメラマン（ユーザ）がフォーカスレンズを制御するための操作部材であり、例えば、回転操作をされるノブとしうる。操作量検出部１０２（単に検出部ともいう）は、例えば、ポテンショメータまたはロータリーエンコーダー等を含みうるものであり、操作部材１０１の操作量（操作位置）を検出する。指令値生成部１０３（主制御部または制御部ともいう）は、操作量検出部１０２からの出力（上記操作量）に基づいて、フォーカス操作指令値（単に操作指令値または指令値ともいう）を生成する。指令値生成部１０３は、各部を制御する主制御部（単に制御部ともいう）としても機能する。通信部１０４（デマンド通信部ともいう）は、指令値生成部１０３により生成されたフォーカス操作指令値を、特定の通信規約に従ったコードにエンコードする。そして、通信部１０４は、不図示の光学装置（例えばレンズ装置２０）の通信部（例えば図１１の通信部２０１（レンズ通信部ともいう）へ送信する。また、通信部１０４は、光学装置の通信部（例えば通信部２０１）から当該光学装置に係る特定の情報（例えばフォーカスレンズ２０４の位置情報）を受信しうる。
【００１１】
ここで、図２３は、操作部材の具体例を示す図である。操作部材１０１は、それを回転可能とする機構に支持され、かつ機械的止め具（ストッパー）により回転可能な角度範囲が制限されている。そのため、操作部材１０１の操作量（回転角）と指令値との関係を感覚的に把握できるようになっている。操作部材１０１を介して光学特性を変更（設定）するためには、操作部材１０１の操作性が重要である。特に、操作量（回転角）と指令値との関係を変更できる操作装置にあっては、当該関係を感覚的（例えば視覚的）に表示する（示す）ことができれば、その操作性の点で有利となりうる。
【００１２】
記憶部１０５は、指令値がとりうる値の範囲に対応する第１領域と、操作量がとりうる値の範囲に対応する第２領域とに関する情報を記憶している。表示部１０６は、種々のディスプレイなど公知の表示デバイスを含みうるものであり、視覚その他の感覚を通じてユーザが必要な情報を認識できるものであれば、その種類は問わない。指令値生成部１０３は、後に詳述するように、記憶部１０５に記憶された情報と、指令値を示す第１指標に関する情報と、操作量を示す第２指標に関する情報とを、それらの間の必要な関連づけを伴って表示部１０６に表示させる。
【００１３】
図２は、操作量と指令値との関係を例示する図である。図２において、横軸は、操作部材１０１の操作量を、縦軸は、指令値生成部により生成される指令値を示す。ここでは、操作量は、操作部材の操作量（例えば回転角）を０ないし１００の値として正規化している。また、指令値は、０ないし１００００の値（最至近（物体または被写体）距離（Ｍｉｎｉｍｕｍ  Ｏｂｊｅｃｔ  Ｄｉｓｔａｎｃｅ）を０、無限遠（ＩＮＦｉｎｉｔｙ）を１００００）として正規化している。ここでは、３つの関係を例示している。第１の関係は、Ｓｔａｎｄａｒｄモードの関係であり、指令値は操作量に比例している。第２の関係は、Ｎｅａｒモードの関係であり、最至近距離に近い被写体距離（物体距離）でフォーカス調整しやすくなるよう、指令値は操作量に比例せず、最至近距離に近いほど当該関係を表す曲線の傾きが小さくなっている。第３の関係は、Ｆａｒモードの関係であり、無限遠に近い被写体距離（物体距離）でフォーカス調整しやすくなるよう、指令値は操作量に比例せず、無限遠に近いほど当該関係を表す曲線の傾きが小さくなっている。なお、操作量と指令値との関係は、これらには限定されず、用途に応じて種々の関係を採用しうるものである。
【００１４】
図３は、操作装置における処理の流れを例示する図である。この流れは、例えば、操作量と指令値との関係を表示部１０６に表示させる状態（モード）を操作装置１０がとる場合のものである。まず、ステップＳ１００では、指令値生成部１０３は、指令値がとりうる値の範囲に対応する第１領域に関する情報と、操作量がとりうる値の範囲に対応する第２領域に関する情報とを記憶部１０５から取得する。ステップＳ１０１では、指令値生成部１０３は、操作量検出部１０２から操作量の情報を取得する。ステップＳ１０２では、指令値生成部１０３は、取得した操作量に基づいて、指令値を生成する。ステップＳ１０３では、指令値生成部１０３は、その情報を取得した第１領域と、その情報を取得した第２領域とを表示部１０６に表示させる。また、ステップＳ１０３では、指令値生成部１０３は、生成した指令値を第１領域に関連づけて示す第１指標と、その情報を取得した操作量を第２領域に関連づけて示す第２指標とを表示部１０６に表示させる。この処理により、操作量と指令値との関係を感覚的（例えば視覚的）に分かり易くユーザに提示することができる。
【００１５】
図４は、表示部における表示例（Ｓｔａｎｄａｒｄモード）を示す図であり、図５は、表示部における表示例（Ｎｅａｒモード）を示す図であり、図６は、表示部における表示例（Ｆａｒモード）を示す図である。各図の（ａ）において、上の帯は、指令値がとりうる値の範囲に対応する第１領域を、下の帯は、操作量がとりうる値の範囲に対応する第２領域を示している。指令値生成部１０３は、第１領域と前記第２領域とを、それらの長手方向が互いに平行になるように、かつ当該長手方向においてそれらが（例えば、それらの端部が）互いに整合するように表示部１０６に表示させている。また、指令値生成部１０３は、第１領域と前記第２領域とを、それらの長手方向における長さが互いに等しくなるように表示部１０６に表示させている。上の矢印（第１指標）は、生成した指令値を第１領域に関連づけて示し、下の矢印（第２指標）は、取得した操作量を第２領域に関連づけて示している。いずれの帯も、左端は、最至近距離を示し、右端は、無限遠を示している。また、各図の（ｂ）は、そのモードでの操作量と指令値との関係を示している。操作量がＡの場合、指令値はＢとなる。各図において、（ａ）における操作量Ａおよび指令値Ｂは、（ｂ）における操作量Ａおよび指令値Ｂに、それぞれ対応している。
【００１６】
ここで、図４に示すＳｔａｎｄａｒｄモードでは、操作量と指令値との関係を表す曲線の傾きは一定で、それゆえ操作分解能は一定である。図５に示すＮｅａｒモードでは、最至近距離に近いほど、当該関係を表す曲線の傾きは小さく、それゆえ操作分解能は高い。図６に示すＦａｒモードでは、無限遠に近いほど、当該関係を表す曲線の傾きは小さく、それゆえ操作分解能は高い。そのため、Ｓｔａｎｄａｒｄモードでは、第１指標（指令値Ｂ）は、被写体距離によらず、第２指標（操作量Ａ）と常に（ここでは左右方向において）同じ位置を示す。また、Ｎｅａｒモードでは、第１指標（指令値Ｂ）は、第２指標（操作量Ａ）より最至近距離側に寄っている。なお、Ｎｅａｒモードでは、第１指標（指令値Ｂ）は、最至近距離および無限遠では、第２指標（操作量Ａ）と同じ位置を示す。また、Ｆａｒモードでは、第１指標（指令値Ｂ）は、第２指標（操作量Ａ）より無限遠側に寄っている。なお、Ｆａｒモードでは、第１指標（指令値Ｂ）は、最至近距離および無限遠では、第２指標（操作量Ａ）と同じ位置を示す。
【００１７】
以上のように、本実施形態によれば、操作量と指令値との関係をユーザが認識しやすく表示しうるため、例えば、操作部材の操作性の点で有利な操作装置を提供することができる。
【００１８】
〔実施形態２〕
実施形態２について、図７ないし図１６を参照して説明する。ここで、図７は、実施形態２に係る操作装置の構成例を示す図である。同図は、図１の構成例に対して、有効範囲設定部１０７と有効範囲記憶部１０８とを加えた構成例を示している。有効範囲設定部１０７は、フォーカスレンズに対する指令値と操作部材の操作量の双方に関して、それぞれの有効範囲を設定することができる。有効範囲記憶部１０８は、有効範囲設定部１０７により設定された各有効範囲を記憶する。各有効範囲の情報は、指令値生成部１０３（制御部）からの要求によって読出されうる。なお、ここでの有効範囲の設定は、指令値と操作量とのうち一方だけに限定されてもよい。また、記憶部１０５と有効範囲記憶部１０８とは、まとめて単一の記憶部としうる。
【００１９】
図８は、操作装置における処理の流れを例示する図である。この流れは、例えば、操作量と指令値との関係を表示部１０６に表示させる状態（モード）を操作装置１０がとる場合のものである。まず、ステップＳ２００では、指令値生成部１０３は、実施形態１の場合と同様に、指令値がとりうる値の範囲に対応する第１領域に関する情報と、操作量がとりうる値の範囲に対応する第２領域に関する情報とを記憶部１０５から取得する。ステップＳ２０１では、指令値生成部１０３（制御部）は、有効範囲記憶部１０８に操作量の有効範囲が記憶（設定）されているか確認する。記憶されている場合は、ステップＳ２０２に処理が進められ、記憶されていない場合は、ステップＳ２０３に処理が進められる。ステップＳ２０２では、指令値生成部１０３は、有効範囲記憶部１０８に記憶されている操作量の有効範囲に関する情報を読み込み、操作量の有効範囲を設定する。ステップＳ２０３では、指令値生成部１０３は、有効範囲記憶部１０８に指令値の有効範囲が設定されているか確認する。記憶されている場合は、ステップＳ２０４へ処理が進められ、設定されていない場合は、ステップＳ２０５に処理が進められる。ステップＳ２０４では、指令値生成部１０３は、有効範囲記憶部１０８に記憶されている指令値の有効範囲を読み込み、指令値の有効範囲を設定する。
【００２０】
ステップＳ２０５では、指令値生成部１０３は、操作量検出部１０２から操作量の情報を取得する。ステップＳ２０６では、指令値生成部１０３は、取得した操作量に基づいて、指令値を生成する。ステップＳ２０７では、指令値生成部１０３は、生成した指令値を第１領域に関連づけて示す第１指標と、その情報を取得した操作量を第２領域に関連づけて示す第２指標とを表示部１０６に表示させる。さらに、指令値生成部１０３は、設定した有効範囲の情報を、第１領域および第２領域と関連付けて表示部１０６に表示させる。この処理により、操作量と指令値との関係のみならず、操作量および指令値のうち設定されている少なくとも一方の有効範囲を感覚的（例えば視覚的）に分かり易くユーザに提示することができる。
【００２１】
ここで、図９は、表示部における表示例（指令値制限モードの場合）を示す図である。また、図１０は、表示部における表示例（操作量制限モードの場合）を示す図である。両図は、実施形態１の表示例の態様に加え、帯内のマーキング部分（ここでは黒色でマーキング）により有効範囲（逆に、非マーキング部分により無効範囲）を示している。図９は、Ｓｔａｎｄａｒｄモードにしたがって指令値を生成し、かつ指令値に有効範囲を設定した場合における表示例である。図１０は、Ｓｔａｎｄａｒｄモードにしたがって指令値を生成し、かつ操作量に有効範囲を設定した場合における表示例である。
【００２２】
図９の表示例では、指令値に有効範囲の設定があるため、操作量Ａが物理（機械）的な左端（０）である場合、指令値Ｂは当該有効範囲の左端となる。図１０の表示例では、操作量に有効範囲の設定があるため、操作量Ａが当該有効範囲の右端にある場合、指令値Ｂは物理的な右端となり、操作量Ａが当該有効範囲の右端を超えても、指令値Ｂは物理的な右端のままとなる。
【００２３】
ここで、図１１は、有効範囲の設定に係る処理の流れを例示する図である。また、図１２ないし図１５は、有効範囲の設定に係る表示例を示す図である。図１２は、有効範囲の設定に係る初期状態の表示例であり、Ｖ字状の指標（有効範囲指標）が現在の有効範囲を示している。まず、ステップＳ２１１では、指令値生成部１０３（制御部）は、図１３・図１４のように、有効範囲設定部１０７を介したユーザの指示により有効範囲指標を移動させて、有効範囲記憶部１０８に有効範囲に関する情報を記憶させる。例えば、各有効範囲指標は、操作部材１０１の操作による矢印（第１指標または第２指標）の移動を介して順次移動するようにプログラムしうる。なお、有効範囲設定部１０７は、各有効範囲指標の移動および有効範囲の設定のために、操作部材１０１に替えて又は加えて、ユーザにより操作される周知の入力デバイスを含みうる。有効範囲を記憶させた後は、表示部１０６に表示された有効範囲指標の状態は、操作部材１０１または他の入力デバイスを操作しても、図１５のように変わらない。
【００２４】
つづくステップＳ２１２では、指令値生成部１０３は、有効範囲記憶部１０８に記憶された有効範囲を有効にする。図１６は、当該有効範囲が設定されている場合の表示例を示す図である。なお、ここでは、指令値の有効範囲が制限されているため、指令値の生成（算出）のための方法（関数またはテーブル）および第１指標の表示の態様も、当該制限（設定）の内容に基づいて、当該制限（設定）の前とは異なるものに変更されている。また、操作量の有効範囲または指令値および操作量の双方の有効範囲を制限（設定）する場合についても、その場合に整合した同様の処理および表示を行えばよい。
【００２５】
以上のように、本実施形態によれば、操作量と指令値との関係を、それらのうちの少なくとも一方の有効範囲とともに、ユーザが認識しやすく表示しうるため、例えば、操作部材の操作性の点で有利な操作装置を提供することができる。
【００２６】
〔実施形態３〕
実施形態３について、図１７ないし図１９を参照して説明する。図１７は、実施形態３に係る操作装置の構成例を示す図である。同図において、操作装置１０は、レンズ装置２０に接続されている。操作装置１０は、実施形態１の構成に加え、制御量記憶部１０９を追加したものとなっている。なお、制御量記憶部１０９と記憶部１０５とは、まとめて単一の記憶部としうる。
【００２７】
図１７において、通信部２０１は、レンズ装置２０の中に構成され、操作装置１０の通信部１０４との間でコマンド等の情報に関して通信を行う。通信部２０１は、通信部１０４から指令値を含むコマンドに係る情報を受信した場合、受信した情報をデコードして目標値生成部２０２へ送信する。すると、目標値生成部２０２は、指令値に基づいて目標値を生成し、当該目標値をフォーカス制御部２０３へ送信する。すると、フォーカス制御部２０３は、当該目標値に基づいて、フォーカスレンズ２０４の位置を制御する。位置検出部２０５は、フォーカスレンズ２０４の位置を検出するものであり、ポテンショメータまたはエンコーダ等の周知の位置センサを含みうる。位置検出部２０５により検出された位置（制御量）を示す信号は、フォーカス制御部２０３にフィードバックされる。フォーカス制御部２０３は、フィードバックされた当該制御量に基づいて、フォーカスレンズ２０４のフィードバック制御を行う。また、通信部２０１は、位置検出部２０５により検出されたフォーカスレンズの位置（制御量）を操作装置１０の通信部１０４に送信する機能を有する。
【００２８】
指令値生成部１０３（制御部）は、操作装置１０の通信部１０４を介して、レンズ装置２０の通信部２０１からフォーカスレンズの位置（制御量）を取得する。通信部１０４を介して得られたフォーカスレンズの位置（制御量）は、制御量記憶部１０９に記憶される。よって、指令値生成部１０３は、必要に応じて制御量記憶部１０９から制御量を取得できる。
【００２９】
図１８は、操作装置における処理の流れを例示する図である。この流れは、例えば、操作量と指令値との関係を表示部１０６に表示させる状態（モード）を操作装置１０がとる場合のものである。まず、ステップＳ３００では、指令値生成部１０３は、実施形態１の場合と同様に、指令値がとりうる値の範囲に対応する第１領域に関する情報と、操作量がとりうる値の範囲に対応する第２領域に関する情報とを記憶部１０５から取得する。ステップＳ３０１では、指令値生成部１０３は、操作量検出部１０２から操作量の情報を取得する。ステップＳ３０２では、指令値生成部１０３は、制御量記憶部１０９からレンズ装置２０におけるフォーカスレンズの位置（制御量）の情報を取得する。ステップＳ３０３では、指令値生成部１０３は、その情報を取得した第１領域と、その情報を取得した第２領域とを表示部１０６に表示させる。また、ステップＳ３０３では、指令値生成部１０３は、その情報を取得した制御量を第１領域に関連づけて示す第１指標と、その情報を取得した操作量を第２領域に関連づけて示す第２指標とを表示部１０６に表示させる。この処理により、操作量と制御量との関係を感覚的（例えば視覚的）に分かり易くユーザに提示することができる。
【００３０】
ここで、図１９は、表示部における表示例（Ｓｔａｎｄａｒｄモード）を示す図である。同図において、上の帯は、制御量がとりうる値の範囲に対応する第１領域を、下の帯は、操作量がとりうる値の範囲に対応する第２領域を示している。上の矢印（第１指標）は、取得した制御量を第１領域に関連づけて示し、下の矢印（第２指標）は、取得した操作量を第２領域に関連づけて示している。いずれの帯も、左端は、最至近距離を示し、右端は、無限遠を示している。上の帯に関して矢印（第１指標）が示す位置は、指令値生成部１０３が生成する指令値に対してフォーカスレンズ２０４が追従した結果としての制御量に対応するため、実施形態１におけるそれとは制御偏差に基づいて相違しうる。
【００３１】
以上のように、本実施形態によれば、操作量と制御量との関係をユーザが認識しやすく表示しうるため、例えば、操作部材の操作性の点で有利な操作装置を提供することができる。
【００３２】
〔実施形態４〕
実施形態４について、図２０ないし図２２を参照して説明する。実施形態４に係る操作装置１０の構成例は、実施形態２におけるものと同様としうる。実施形態４は、操作量（入力）と指令値または制御量（出力）との間の特性（入出力特性または関係）を、座標系（例えば、２次元直交座標系）を用いて表示する点で、実施形態２とは異なっている。ここで、図２０は、操作装置における処理の流れを例示する図である。この流れは、例えば、操作量と指令値との関係を表示部１０６に表示させる状態（モード）を操作装置１０がとる場合のものである。まず、ステップＳ４００では、指令値生成部１０３は、実施形態２の場合と同様に、指令値がとりうる値の範囲に対応する第１領域に関する情報と、操作量がとりうる値の範囲に対応する第２領域に関する情報とを記憶部１０５から取得する。ステップＳ４０１では、指令値生成部１０３は、指令値の生成に用いる関数またはテーブルの情報と有効範囲記憶部１０８に記憶された有効範囲の情報とに基づいて、操作量（入力）と指令値（出力）との間の特性（入出力特性または関係）を生成する。ステップＳ４０２では、指令値生成部１０３は、操作量検出部１０２から操作量の情報を取得する。ステップＳ４０３では、指令値生成部１０３は、取得した操作量に基づいて、指令値を生成する。ステップＳ４０４では、指令値生成部１０３は、その情報を取得した第１領域をグラフの縦軸（縦の座標軸）として、また、その情報を取得した第２領域を当該グラフの横軸（横の座標軸）として、上記特性（を表す特性曲線）を表示部１０６に表示させる。また、ステップＳ４０４では、指令値生成部１０３は、生成した指令値を第１領域に関連づけて示す第１指標と、その情報を取得した操作量を第２領域に関連づけて示す第２指標とを表示部１０６に表示させる。この処理により、操作量と指令値との関係を感覚的（例えば視覚的）に分かり易くユーザに提示することができる。なお、指令値生成部１０３は、第１領域と前記第２領域とを、それらの長手方向における長さが互いに等しくなるように表示部１０６に表示させている。座標系として、２次元直交座標系を適用する例を示したが、２次元斜交座標系や２次元極座標系等の他の座標系を適用してもよい。
【００３３】
ここで、図２１は、表示部における表示例（Ｓｔａｎｄａｒｄモードの場合）を示す図である。また、図２２は、表示部における表示例（Ｎｅａｒモードの場合）を示す図である。なお、両図において、実施形態２のように、各帯に替えて各軸に対するマーキング部分により有効範囲（逆に、非マーキング部分により無効範囲）を示すようにしてもよい。図２１は、Ｓｔａｎｄａｒｄモードにしたがって指令値を生成した場合における表示例である。図２１の表示例では、第１指標を縦軸の値（座標）とし且つ第２指標を横軸の値（座標）として示す第３指標（例えば十字マーク）を上記の特性上（特性曲線上）に表示させている。図２２は、Ｎｅａｒモードにしたがって指令値を生成した場合における表示例である。図２１・図２２いずれの場合も、操作部材の操作に応じて第３指標が特性上（特性曲線上）を動くことにより、操作量と指令値との関係を感覚的（例えば視覚的）に分かり易くユーザに提示することができる。なお、不図示であるが、Ｆａｒモードにしたがって指令値を生成した場合における表示も、図２１・図２２の場合と同様に行いうる。
【００３４】
以上のように、本実施形態によれば、操作量と制御量との関係を、座標系を用いて、ユーザが認識しやすく表示しうるため、例えば、操作部材の操作性の点で有利な操作装置を提供することができる。
【００３５】
〔撮像装置に係る実施形態〕
図２４は、撮像装置の構成例を示す図である。当該撮像装置は、以上に例示した操作装置１０と、光学装置（レンズ装置）２０と、当該光学装置からの光（光像）を受ける撮像素子３０ａを有するカメラ装置（撮像部）３０とを含んで構成されている。本実施形態に係る撮像装置によれば、例えば、操作部材の操作性の点で有利な撮像装置を提供することができる。
【００３６】
以上、本発明の好ましい実施形態について説明したが、本発明はこれらの実施形態に限定されないことはいうまでもなく、その要旨の範囲内で種々の変形及び変更が可能である。例えば、以上では、光学装置の光学特性を変更するために可動の光学素子として、被写体距離を変更するために可動のレンズ（フォーカスレンズ）を例示した。しかしながら、当該光学素子は、それには限定されず、例えば、光学装置（レンズ装置）の焦点距離の変更（変倍）のために可動のレンズや、光学装置のＦ値（Ｆナンバー）または有効口径の調整のために絞り羽根が可動の絞り部材としうるものである。また、表示部１０６は、操作装置１０内でなく、レンズ装置２０内またはカメラ装置３０内にあってもよい。表示部は、カメラ装置３０内にある場合、例えば、カメラ装置のファインダにおけるものとしうる。
【符号の説明】
【００３７】
１０  操作装置
１０１  操作部材
１０２  検出部（操作量検出部）
１０３  制御部（指令値生成部）
【図１】
2019194737.tif 000003
【図２】
2019194737.tif 000004
【図３】
2019194737.tif 000005
【図４】
2019194737.tif 000006
【図５】
2019194737.tif 000007
【図６】
2019194737.tif 000008
【図７】
2019194737.tif 000009
【図８】
2019194737.tif 000010
【図９】
2019194737.tif 000011
【図１０】
2019194737.tif 000012
【図１１】
2019194737.tif 000013
【図１２】
2019194737.tif 000014
【図１３】
2019194737.tif 000015
【図１４】
2019194737.tif 000016
【図１５】
2019194737.tif 000017
【図１６】
2019194737.tif 000018
【図１７】
2019194737.tif 000019
【図１８】
2019194737.tif 000020
【図１９】
2019194737.tif 000021
【図２０】
2019194737.tif 000022
【図２１】
2019194737.tif 000023
【図２２】
2019194737.tif 000024
【図２３】
2019194737.tif 000025
【図２４】
2019194737.tif 000026